(57)【特許請求の範囲】
【請求項１】
ディスク状記録媒体を内蔵するカートリッジ（１０）を離脱可能に収容するカートリッジ収納ケース（２０，４０，５０，６０）において、
前記カートリッジ（１０）を開口部（２４）を介して内方に収納可能なケース本体（２１，５３，６３）と、
前記ケース本体（２１，５３，６３）の内壁に一体に、かつ、前記カートリッジ（１０）に予め設けられた凹溝（１１）の位置に対応して設けられ、前記ケース本体（２１，５３，６３）内に収容された前記カートリッジ（１０）の前記凹溝（１１）に嵌合する突起部（２６，５１，６１）と、
前記ケース本体（２１，５３，６３）と一体に設けられ、前記ケース本体（２１，５３，６３）内に収納された前記カートリッジ（１０）を前記突起部（２６，５１，６１）と前記凹溝（１１）との嵌合を維持する方向に向かって付勢する弾性変形部（３０，５２，６２）とを備え、
前記弾性変形部（３０，５２，６２）が、前記カートリッジ（１０）を前記ケース本体（２１，５３，６３）内に収納或いは前記ケース本体（２１，５３，６３）から取り出す際にのみ、前記カートリッジ（１０）と当接して弾性変形しつつ、前記カートリッジ（１０）を前記突起部（２６，５１，６１）との間で挟持するようし、且つ、前記カートリッジの収納後は前記突起部（２６，５１，６１）が前記カートリッジ（１０）の前記凹溝（１１）に侵入し、弾性変形が解かれた状態に戻るようにし、
前記突起部（２６，５１，６１）の高さは、前記カートリッジ（１０）に予め設けられた前記凹溝の深さをｈとすると、０．０５ｈ〜０．４ｈの範囲であることを特徴とするカートリッジ収納ケース（２０，４０，５０，６０）。
【請求項２】
前記ケース本体が、上ケース及び該上ケースに嵌合する下ケースからなり、前記突起部が前記下ケースと一体に設けられることを特徴とする請求項１記載のカートリッジ収納ケース。
【発明の詳細な説明】
【０００１】
【発明の属する技術分野】
本発明は、ミニディスク（以下、ＭＤという）等のディスク状記録媒体を内蔵するカートリッジを離脱可能に収納するカートリッジ収納ケースに関し、詳しくは部品点数が少なく且つ少ない組付工数で製造可能なカートリッジ収納ケースに関する。
【０００２】
【従来の技術】
従来のカートリッジ収納ケースとして、ＭＤ（図示しない）を例にとると、カートリッジ収納ケースは、図８に示すように、内ケース７２、外ケース７３及び一対のロック部材７４から構成されている。内ケース７２及び外ケース７３はそれぞれ、平面視ほぼ矩形状に形成された透明な樹脂、例えばポリカーボネート、ポリスチレン、ＡＳ樹脂からなり、内ケース７２が外ケース７３に嵌合されている。
【０００３】
内ケース７２は、外ケース７３との間に内部空間７５を形成する。内部空間７５は、図示しないＭＤを内蔵するカートリッジ７０を、開口部７６から所定の向きで収能可能であり、かつ、最奥部（図８中下端部）近傍に設けられたロック部材７４によって、カートリッジ７０を係脱可能に保持する。
【０００４】
すなわちロック部材７４はそれぞれ、カートリッジ７０が開口部７６を介して内部空間７５に挿入された際、カートリッジ７０に形成された一対の凹溝７７に嵌合されることにより、カートリッジ７０を内ケース７２に係止する。凹溝７７はそれぞれ、カートリッジ７０の一方の側面（図８中上面）における図８中左右両側に開口して形成される。
また、内ケース７２に形成された切欠部７８において露出したカートリッジ７０の一部が、指先７９で把持されて図８中上方に引張られ、カートリッジ７０が内部空間７５から離脱される際、ロック部材７４はそれぞれ、カートリッジ７０の凹溝７７との嵌合を解除される。
【０００５】
【発明が解決しようとする課題】
上述した従来のカートリッジ収納ケース７１は、内ケース７２、外ケース７３及び一対のロック部材７４の４部材からなり、部品点数及び組付工数の増大が避けられないため、高コストであるという問題があった。
【０００６】
本発明は、ケース本体内に収納したカートリッジを確実に保持することができるものでありながら、部品点数及び組付工数を削減することができ、コスト低減を図ることができるカートリッジ収納ケースを提供することを目的としている。
【０００７】
【課題を解決するための手段】
本発明の上記目的は、ディスク状記録媒体を内蔵するカートリッジを離脱可能に収容するカートリッジ収納ケースにおいて、前記カートリッジを開口部を介して内方に収納可能なケース本体と、前記ケース本体の内壁に一体に、かつ、前記カートリッジに予め設けられた凹溝の位置に対応して設けられ、前記ケース本体内に収容された前記カートリッジの前記凹溝に嵌合する突起部と、前記ケース本体と一体に設けられ、前記ケース本体内に収納された前記カートリッジを前記突起部と前記凹溝との嵌合を維持する方向に向かって付勢する弾性変形部とを備え、前記弾性変形部が、前記カートリッジを前記ケース本体内に収納或いは前記ケース本体から取り出す際にのみ、前記カートリッジと当接して弾性変形しつつ、前記カートリッジを前記突起部との間で挟持するようし、且つ、前記カートリッジの収納後は前記突起部が前記カートリッジの前記凹溝に侵入し、弾性変形が解かれた状態に戻るようにし、前記突起部の高さは、前記カートリッジに予め設けられた前記凹溝の深さをｈとすると、０．０５ｈ〜０．４ｈの範囲であることを特徴とするカートリッジ収納ケースにより達成される。
また、前記ケース本体が、上ケース及び該上ケースに嵌合する下ケースからなり、前記突起部が前記下ケースと一体に設けられる構成によっても達成される。
【０００８】
【作用】
本発明に係るカートリッジ収納ケースにおいては、突起部が、ケース本体内に収容されたカートリッジに予め設けられた凹溝に嵌合する位置に、ケース本体の内壁に一体に設けられ、また、ケース本体内に収納されたカートリッジを前記突起部と該凹溝との嵌合を維持する方向に向かって付勢する弾性変形部が、ケース本体と一体に設けられているので、弾性変形部の付勢によりケース本体内でカートリッジが該突起部と該凹溝との嵌合を外す方向に移動するのが阻止され、カートリッジはケース内に確実に保持される。
【０００９】
また、上記構成において、弾性変形部は、該カートリッジをケース本体内に収納或いはケース本体から取り出す際にのみ、カートリッジと当接して弾性変形しつつ、カートリッジを突起部との間で挟持するようし、且つ、カートリッジ収容後はカートリッジに予め設けられた凹溝に侵入し、弾性変形が解かれ初期形状に戻るような形状にしてもよい。これにより、カートリッジ収納後は、弾性変形部が変形していない状態、即ち内部応力の発生しない状態に戻るので、弾性変形部の劣化することがない。
【００１０】
さらに、上記構成において、突起部の形状は略円錐、球または円柱の一部であり、その高さはカートリッジに予め設けられた凹部の深さをｈとすると、０．０５ｈ〜０．４ｈ、より好ましくは０．１ｈ〜０．２ｈがよい。なぜならば、突起の高さが０．０５ｈ未満ではカートリッジを挟持できず０．４ｈを越えるとカートリッジのスムーズな収納ができなくなるからである。
【００１１】
【発明の実施の形態】
以下、ＭＤを内蔵したカートリッジを収納するカートリッジ収納ケースの一実施態様を例にして、本発明を説明する。
図１は、本発明による第１のカートリッジ収納ケースの一実施態様（第１実施形態）を示す断面図であり、図２は、図１のカートリッジ収納ケースの下ケースを示す斜視図、図３は、図１のカートリッジ収納ケースに装着されるインデックスカードを示す平面図である。図４は、図１のカートリッジ収納ケースの下ケースに設けられた突起部の変形例を示す斜視図である。
【００１２】
図１及び図２において、カートリッジ収納ケース２０は、図示しないＭＤを内蔵するカートリッジ１０をケース本体２１に離脱可能に収納する。
【００１３】
ケース本体２１は、上ケース２２及び上ケース２２に嵌合する下ケース２３からなり、カートリッジ１０を開口部２４を通して内方に収納可能である。
【００１４】
ケース本体２１の下ケース２３における開口部２４の長手方向（図１中紙面に垂直な方向）に沿う側面２５内側（図１中上面）には、一対の突起部２６が、下ケース２３における開口部２４の短手方向（図１中上下方向）に沿う側面２７近傍で、かつ、下ケース２３の基壁部２８から所定の間隔Ａをあけた位置に、下ケース２３と一体に設けられる。各突起部２６の位置は、カートリッジ１０に予め設けられた一対の凹溝１１の位置に対応して設定される。
【００１５】
またケース本体２１の上ケース２２における開口部２４の長手方向に沿う側面２９内側（図１中下面）には、弾性変形部３０が、一対の突起部２６の中心点と対向する所定の位置、すなわち前記側面２９内側における開口部２４の長手方向ほぼ中央で、かつ、上ケース２２の基壁部３１から所定の間隔Ｂをあけた位置に１個、上ケース２２と一体に設けられる。
【００１６】
弾性変形部３０は、ケース本体２１内に収納されたカートリッジ１０に、カートリッジ１０の厚み方向（図１中上下方向）から当接して弾性変形しつつ、カートリッジを突起部２６と凹溝１１との嵌合を維持する方向、即ち該カートリッジ１０の凹溝１１を突起部２６に当接させる方向（図１中上から下に向かった方向）に向かって付勢する。このとき前記各突起部２６はそれぞれ、カートリッジ１０の凹溝１１に嵌合する、すなわち凹溝１１が設けられた面１２を図１中下面となる姿勢でケース本体２１内に収納されたカートリッジ１０の凹溝１１に嵌合する。これによりカートリッジ１０は、弾性変形部３０の付勢で突起部２６と凹溝１１との嵌合が外れる方向に移動することが阻止されるので、ケース本体２１内に確実に保持される。しかもこの状態では前記弾性変形部は、弾性変形しないように設定されている。すなわち、前記弾性変形部は、内部応力が発生しない状態に戻っているから、劣化することがない。
【００１７】
図１及び図３において、ケース本体２１内には、インデックスカード３２が装着されている。
インデックスカード３２は、ケース本体２１内に開口部２４を介して所定の向きで挿入されており、インデックスカード３２の裏面（図１中下面）をケース本体２１の下ケース２３の側面２５に当接するとともに、折曲線３４で折り曲げられて形成される断面Ｌ字状の背当て部３５の裏面（図１中右側面）を、ケース本体２１の上ケース２２及び下ケース２３の基壁部２８，３１に当接する。
インデックスカード３２には、一対の小切欠き３６がそれぞれ、ケース本体２１の突起部２６及び弾性変形部３０に対応する位置に、図３上方及び下方に開口して設けられるとともに、大切欠き３７が、ケース本体２１の切欠部２１ａ（図２参照）に対応する位置に、図３中左方に開口して設けられる。
【００１８】
なお、図１乃至図３において示したカートリッジ収納ケース２０の下ケース２３に設けられた突起部２６は、略球を四分割したような形状としているが、突起部の形状はこれに限らず、図４に示した如く、半円柱形状に変更することや、略円錐、円柱の一部のような他の形状に変更することも可能である。
【００１９】
図５は、本発明による第１のカートリッジ収納ケース４０の別の実施態様（第２実施形態）に係る下ケースを示す断面図である。
この図において、ケース本体２１の下ケース２３における側面２５内側（図５中上面）の先端部（図５中左端部）には、インデックスカード３２の脱落等を防止する係止突起４１が設けられる。すなわちインデックスカード３２は、カード本体３３の図５中に示す寸法Ｃを、ケース本体２１の下ケース２３の基壁部２８から係止突起４１までの寸法Ｄより若干短くし、図５中に示す左端部を係止突起４１に当接する程度の寸法とする。したがって、インデックスカード３２は、ケース本体２１内からの脱落等を防止される。
その他の構成及び作用については、上記第１実施形態と同様である。
【００２０】
図６は、本発明による第２のカートリッジ収納ケース５０の一実施態様（第３実施形態）に係る下ケースを示す斜視図である。
この図において、突起部５１及び弾性変形部５２は、いずれもケース本体５３の下ケース５４における開口部の短手方向に沿う側面５５内側に、下ケース５４と一体に設けられる。
すなわち突起部５１は、下ケース５４の図６中左側の側面５５内側において、開口部の長手方向に沿う側面５６の図６中両端部近傍で、かつ、下ケース５４の基壁部５７から所定の間隔Ｅをあけた位置に１個設けられる。
【００２１】
また弾性変形部５２は、下ケース５４の図６中右側の側面５５内側に、突起部５１と対向して１個設けられる。弾性変形部５２は、ケース本体５３内に収納されたカートリッジ１０（図１参照）に、カートリッジ１０の厚み方向とほぼ直交する方向から当接して弾性変形しつつ、カートリッジ１０を突起部５１と凹溝１１との嵌合を維持する方向、即ち該カートリッジ１０の凹溝１１を突起部５１に当接させる方向に向かって付勢する。この際、突起部５１及び弾性変形部５２はそれぞれ、ケース本体５３内に収納されたカートリッジ１０の凹溝１１（図１参照）に嵌合する。これによりカートリッジ１０は、弾性変形部３０の付勢で突起部５１と凹溝１１との嵌合が外れる方向に移動することが阻止されるので、ケース本体５３内に離脱不能に確実に保持される。
その他の構成及び作用については、上記第１実施形態と同様である。
【００２２】
図７は、本発明による第３のカートリッジ収納ケース６０の一実施態様（第４実施形態）に係る下ケースを示す斜視図である。
図７に図示の如く、ケース本体６３の下ケース６４における開口部の長手方向に沿う側面６６内側（図７中下面）には、突起部６１が、下ケース６３における開口部の短手方向（図７中上下方向）に沿う側面６５近傍で、かつ、下ケース６４の基壁部６７から所定の間隔Ｅをあけた位置に、下ケース６４と一体に設けられる。各突起部６１の位置は、カートリッジ１０に予め設けられた一対の凹溝１１の位置に対応して設定される。
【００２３】
また、ケース本体６３の下ケース６４における開口部の短手方向に沿う側面６５内側には、弾性変形部６２が、下ケース６４と一体に設けられる。弾性変形部６２は、ケース本体６３内に収納されたカートリッジ１０（図１参照）に、カートリッジ１０の厚み方向とほぼ直交する方向から当接して弾性変形しつつ、カートリッジ１０を突起部６１と凹溝１１との嵌合を維持する方向、即ち該カートリッジ１０の凹溝１１を突起部６１に当接させる方向に向かって付勢する。この際、突起部６１は、ケース本体６３内に収納されたカートリッジ１０の凹溝１１（図１参照）に嵌合する。これによりカートリッジ１０は、弾性変形部３０の付勢で突起部５１と凹溝１１との嵌合が外れる方向に移動することが阻止されるので、ケース本体６３内に離脱不能に確実に保持される。
その他の構成及び作用については、上記第１実施形態と同様である。
【００２４】
以上のように上記実施形態によれば、突起部２６，５１，６１及び弾性変形部３０，５２，６２がそれぞれ、上ケース２２又は下ケース２３，５４、６４に一体に設けられており、弾性変形部３０，５２，６２は、ケース本体２１，５３内に収納されたカートリッジ１０に、カートリッジ１０の厚み方向（第１及び第２実施形態）又は厚み方向とほぼ直交する方向（第３及び第４実施形態）から当接して弾性変形しつつ、カートリッジ１０を突起部２６，５１の嵌合を維持する方向に向かって付勢する。この際、突起部２６，５１及び弾性変形部５２はそれぞれ、ケース本体２１，５３内に収納されたカートリッジ１０の凹溝１１に嵌合する。これによりカートリッジ１０は、弾性変形部３０、５２、６２の付勢で突起部５１と凹溝１１との嵌合が外れる方向に移動することが阻止されるので、ケース本体６３内に離脱不能に確実に保持される。したがって、ケース本体２１，５３内に収納したカートリッジ１０を確実に保持することができるものでありながら、部品点数及び組付工数を削減することができ、コスト低減を図ることができる。
【００２５】
なお上記各実施形態では、ケース本体２１，５３を上ケース２２及び下ケース２３，５４、６４にて構成したが、ポリプロピレン樹脂、ポリスチレン樹脂またはＡＢＳ樹脂等の弾性を有する材料を用いて一体に構成してもよい。これによると、部品点数及び組付工数を更に低減することができる。
【００２６】
また上記第１又は第２実施形態において、弾性変形部３０を上ケース２２の側面２９内側における開口部２４の長手方向ほぼ中央に設けず、上ケース２２の側面２９内側における各突起部２６と図１中上下に対向する位置にそれぞれ、弾性変形部（図示しない）を一対設けてもよい。これによると、カートリッジ１０を、凹溝１１が設けられた面１２を図１中上下いずれの向きでケース本体２１に収納した場合でも、突起部２６又は弾性変形部の少なくともいずれか一方は、ケース本体２１内に収納されたカートリッジ１０の凹溝１１に嵌合するため、カートリッジ１０をケース本体２１により確実に保持することができる。
【００２７】
すなわちカートリッジ１０を、凹溝１１が設けられた面１２を図１中上面となる姿勢でケース本体２１内に収納した場合には、弾性変形部が凹溝１１に嵌合する。またカートリッジ１０を、凹溝１１が設けられた面１２を図１中下面となる姿勢でケース本体２１内に収納した場合には、突起部２６が凹溝１１に嵌合する。
つまり、カートリッジ１０の向きに応じて、突起部２６又は弾性変形部のいずれか一方が、カートリッジ１０の凹溝１１に嵌合されることとなる。これにより、カートリッジ１０がいずれの向きでケース本体２１内に収納されても、カートリッジ１０をケース本体２１内に確実に保持することができる。
【００２８】
更に上記第３及び第４実施形態において、突起部５１を下ケース５４の側面５５内側に１個追加して設けてもよい。すなわち下ケース５４の側面５５内側において、突起部５１とカートリッジ１０の出入方向に所定の間隔をあけてもう１個の突起部（図示しない）を設けてもよい。これによると、カートリッジ１０を収納又は離脱する際、所定の位置でカートリッジ１０を一度停止する機能、所謂クリックストップ機能を設けることができる。
【００２９】
本発明の実施形態を説明するに際してＭＤを内蔵したカートリッジを例にしたが、本発明はＭＤを内蔵するカートリッジに限られるものではなく、他の記録媒体、例えばフロッピディスク、光磁気ディスク、ビデオテープ等を内蔵したカートリッジにも適用できることは言うまでもない。
【００３０】
【発明の効果】
以上のように本発明本発明に係るカートリッジ収納ケースによれば、突起部が、ケース本体内に収容されたカートリッジに予め設けられた凹溝に嵌合する位置に、ケース本体の内壁に一体に設けられ、また、ケース本体内に収納されたカートリッジを前記突起部と該凹溝との嵌合を維持する方向に向かって付勢する弾性変形部が、ケース本体と一体に設けられているので、弾性変形部の付勢力によりケース本体内でカートリッジが該突起部と該凹溝との嵌合を外す方向に移動するのが阻止され、カートリッジはケース内に確実に保持される。したがって、ケース本体内に収納したカートリッジを確実に保持することができるものでありながら、部品点数及び組付工数を削減することができ、コスト低減を図ることができる。
【図面の簡単な説明】
【図１】本発明による第１のカートリッジ収納ケースの一実施態様（第１実施形態）を示す断面図である。
【図２】図１のカートリッジ収納ケースの下ケースを示す斜視図である。
【図３】図１のカートリッジ収納ケースに装着されるインデックスカードを示す平面図である。
【図４】図１のカートリッジ収納ケースの下ケースに設けられた突起部の変形例を示す斜視図である。
【図５】本発明による第１のカートリッジ収納ケースの別の実施態様（第２実施形態）に係る下ケースを示す断面図である。
【図６】本発明による第２のカートリッジ収納ケースの一実施態様（第３実施形態）に係る下ケースを示す斜視図である。
【図７】本発明による第３のカートリッジ収納ケース６０の一実施態様（第４実施形態）に係る下ケースを示す斜視図である。
【図８】従来のカートリッジ収納ケースを示す平面図である。
【符号の説明】
１０  カートリッジ
１１  カートリッジの凹溝
１２  カートリッジの凹溝が設けられた面
２０  カートリッジ収納ケース
２１  ケース本体
２２  上ケース
２３  下ケース
２４  開口部
２５  下ケースにおける開口部の長手方向に沿う側面
２６  突起部
２７  下ケースにおける開口部の短手方向に沿う側面
２９  上ケースにおける開口部の長手方向に沿う側面
３０  弾性変形部
３２  インデックスカード
４０  カートリッジ収納ケース
５０  カートリッジ収納ケース
５１  突起部
５２  弾性変形部
５３  ケース本体
５４  下ケース
５５  下ケースにおける開口部の短手方向に沿う側面
５６  下ケースにおける開口部の長手方向に沿う側面
６０  カートリッジ収納ケース
６１  突起部
６２  弾性変形部
６３  ケース本体
６４  下ケース
６５  下ケースにおける開口部の短手方向に沿う側面
６６  下ケースにおける開口部の長手方向に沿う側面
【図１】
0003601741.tif 000002
【図２】
0003601741.tif 000003
【図３】
0003601741.tif 000004
【図４】
0003601741.tif 000005
【図５】
0003601741.tif 000006
【図６】
0003601741.tif 000007
【図７】
0003601741.tif 000008
【図８】
0003601741.tif 000009